(57)【要約】【課題】コンパクトな構成によって容易且つ精度良くシート状部材を裁断できる装置の案出が望まれている。また、空気封入式緩衝材や厚紙に限らず、種々のシート状部材を裁断できる装置を提供することを目的とする。【解決手段】ウェブ用裁断装置１０を、シート状部材１２を巻いて成るウェブ１４を載置する載置手段１６と、載置手段１６上のウェブ１４から引出されたシート状部材１２を固定する固定手段１８と、カッター２０をシート状部材１２の引出方向と直角方向に移動させてシート状部材１２を裁断する裁断部２２と、を備えて構成した。【選択図】    図１
0003125079.tif 000002
【実用新案登録請求の範囲】
【請求項１】
シート状部材を巻いて成るウェブを載置する載置手段と、
前記載置手段上のウェブから引出された前記シート状部材を固定する固定手段と、
カッターを前記シート状部材の引出方向と直角方向に移動させて該シート状部材を裁断する裁断部と、
を備えたウェブ用裁断装置。
【請求項２】
前記載置手段が、前記ウェブを抱持する第１の斜面及び第２の斜面を備えた請求項１に記載するウェブ用裁断装置。
【請求項３】
前記固定手段が、前記シート状部材を接触させる接触面と、該シート状部材を該接触面へ押圧する押圧手段と、を備えた請求項１又は請求項２に記載するウェブ用裁断装置。
【請求項４】
前記押圧手段が、手動により押圧力を付加する手段である請求項１〜請求項３のいずれかに記載するウェブ用裁断装置。
【請求項５】
前記押圧手段が、前記シート状部材の引出方向と直角方向に延びる押圧部材から成る請求項３又は請求項４に記載するウェブ用裁断装置。
【請求項６】
前記押圧手段が、手動により前記押圧部材を回動させて押圧力を付加する手段である請求項５に記載するウェブ用裁断装置。
【請求項７】
前記裁断部が、前記シート状部材の引出方向と直角方向に延びる前記接触面である請求項３〜請求項６のいずれかに記載するウェブ用裁断装置。
【考案の詳細な説明】
【技術分野】
【０００１】
本考案は、シート状部材を巻いて成るウェブからシート状部材を適当な長さだけ送出して裁断するためのウェブ用裁断装置に関する。
【背景技術】
【０００２】
従来から、多数の空気室を有する空気封入式緩衝材（シート状部材）が、搬送時の衝撃緩和のために使用されている。この空気封入式緩衝材はウェブ状に巻かれたものを購入し、適当な長さだけ引出し、カッターやハサミ等によって裁断して包装等に使用される。なお、厚紙ウェブを横裁ちする装置が案出されている（特許文献１参照。）。
【０００３】
そこで、コンパクトな構成によって容易且つ精度良くシート状部材を裁断できる装置の案出が望まれている。また、空気封入式緩衝材や厚紙に限らず、種々のシート状部材を裁断できる装置の案出が望まれている。
【０００４】
【特許文献１】特願２００３−５０９３１３号公報
【考案の開示】
【考案が解決しようとする課題】
【０００５】
本考案は、コンパクトな構成によって容易且つ精度良くシート状部材を裁断できるとともに、種々のシート状部材を裁断できるウェブ用裁断装置を提供することを目的とする。
【課題を解決するための手段】
【０００６】
本考案のウェブ用裁断装置は、シート状部材を巻いて成るウェブを載置する載置手段と、前記載置手段上のウェブから引出された前記シート状部材を固定する固定手段と、
カッターを前記シート状部材の引出方向と直角方向に移動させて該シート状部材を裁断する裁断部と、を備えたことを特徴とする。
【０００７】
本考案のウェブ用裁断装置は、前記ウェブ用裁断装置において、前記載置手段が、前記ウェブを抱持する第１の斜面及び第２の斜面を備えたことを特徴とする。
【０００８】
本考案のウェブ用裁断装置は、前記ウェブ用裁断装置において、前記固定手段が、前記シート状部材を接触させる接触面と、該シート状部材を該接触面へ押圧する押圧手段と、を備えたことを特徴とする。
【０００９】
本考案のウェブ用裁断装置は、前記ウェブ用裁断装置において、前記押圧手段が、手動により押圧力を付加する手段であることを特徴とする。
【００１０】
本考案のウェブ用裁断装置は、前記ウェブ用裁断装置において、前記押圧手段が、前記シート状部材の引出方向と直角方向に延びる押圧部材から成ることを特徴とする。
【００１１】
本考案のウェブ用裁断装置は、前記ウェブ用裁断装置において、前記押圧手段が、手動により前記押圧部材を回動させて押圧力を付加する手段であることを特徴とする。
【００１２】
本考案のウェブ用裁断装置は、前記ウェブ用裁断装置において、前記裁断部が、前記シート状部材の引出方向と直角方向に延びる前記接触面であることを特徴とする。
【考案の効果】
【００１３】
本考案のウェブ用裁断装置によれば、ウェブから引出したシート状部材を固定手段により固定した状態でカッターを裁断部に沿って移動させてシート状部材を裁断できる。このため、コンパクトな構成によって容易且つ精度良くシート状部材を裁断できる。また、カッターの種類は特に限定されず、裁断するシート状部材によって適宜選択できる。このため、適宜カッターを選択して種々のシート状部材を裁断できる。また、切断後もシート状部材が固定手段によって固定されるため、シート状部材がウェブ側へ流れて落下したり弛んだりすることがない。
【００１４】
また、載置手段が第１の斜面及び第２の斜面を備えた本考案のウェブ用裁断装置によれば、ウェブを載置するだけで容易に位置決めできる。また、固定手段が接触面と押圧手段とを備えた本考案のウェブ用裁断装置によれば、シート状部材を接触面へ押圧することにより、シート状部材を挟持しながら容易に固定できる。また、押圧手段が手動により押圧力を付加する手段である本考案のウェブ用裁断装置によれば、バネ等の付勢手段を設けずに押圧手段をコンパクトに構成することができる。
【００１５】
また、押圧手段がシート状部材の引出方向と直角方向に延びる押圧部材から成る本考案のウェブ用裁断装置によれば、シート状部材を引出方向と直角方向に渡って押圧できるため、カッターを移動させる方向に沿って固定できる。このため、シート状部材に皺が生じるのを防止して精度よく且つ綺麗に裁断できる。
【００１６】
また、押圧手段が手動により押圧部材を回動させて押圧力を付加する手段である本考案のウェブ用裁断装置によれば、押圧部材を摺動させる機構ではないため、コンパクトに押圧手段を構成できる。また、裁断部がシート状部材の引出方向と直角方向に延びる接触面である本考案のウェブ用裁断装置によれば、接触面が裁断部をも兼用することによって、よりコンパクトに構成することができる。
【考案を実施するための最良の形態】
【００１７】
次に、本考案に係るウェブ用裁断装置について、図面に基づいて詳しく説明する。図１〜図３において、符号１０は本考案のウェブ用裁断装置である。
【００１８】
ウェブ用裁断装置１０は、シート状部材１２を巻いて成るウェブ１４を載置する載置手段１６と、載置手段１６上のウェブ１４から引出されたシート状部材１２を固定する固定手段１８と、カッター２０をシート状部材１２の引出方向と直角方向に移動させてシート状部材１２を裁断する裁断部２２と、を備えている。シート状部材１２としては、多数の空気室を有する空気封入式緩衝材の他、シート状であれば特に限定されない。
【００１９】
載置手段１６は、架台１７上にウェブ１４を抱持する第１の斜面２４及び第２の斜面２６を備えて構成されており、第１の斜面２４及び第２の斜面２６により、ウェブ１４がウェブ１４の中心軸Ｃに対して垂直方向（Ｘ軸方向）移動しないように規制できる。また、Ｃ軸方向両端にＸ軸方向に延びるフレーム１９を備えており、中心軸Ｃの方向にも移動しないように規制できる。
【００２０】
固定手段１８は、図４に示すように、シート状部材１２を接触させる接触面２８と、シート状部材１２を接触面２８へ押圧する押圧手段３０と、を備えている。押圧手段３０は、シート状部材１２の引出方向と直角方向に延びる押圧部材３２から成り、レバー３４を手で保持して手動により押圧部材３２を回動軸３６のまわりに回動させて押圧力を付加するように構成されている。裁断部２２は、シート状部材１２の引出方向と直角方向に延びる接触面２８により構成される。すなわち、接触面２８は、シート状部材１２を接触させる機能及び裁断部としての機能を兼用して有する。よって、接触面２８は、カッター２０によっても損傷しない金属等から構成される。
【００２１】
このようなウェブ用裁断装置１０にウェブ１４を載置する場合、ウェブ１４を２個のフレーム１９間に嵌め込みながら第１の斜面２４及び第２の斜面２６上に載置する。次に、レバー３４を手で保持して、図４（ｂ）に示すように、押圧部材３２を反時計まわりに回動させて接触面２８から離隔させた状態で、シート状部材１２をウェブ１４から引出して接触面２８及び押圧部材３２の間を通し、押圧部材３２を時計まわりに回動させて図４（ａ）に示す状態に戻す。
【００２２】
次に、シート状部材１２を裁断して使用したい場合は、シート状部材１２を必要な長さだけウェブ１４から引出し、レバー３４を手で保持して下へ押圧する。レバー３４を手で保持して下へ押圧することにより、シート状部材１２が押圧部材３２と接触面２８との間に挟持されて固定される。このようにしてシート状部材１２を固定した状態で、図４（ａ）に示すように、カッター２０の先端をシート状部材１２から裁断部２２まで押し当て、カッター２０をシート状部材１２の引出方向と直角方向に移動させる。この時、押圧部材３２とレバー３４との中間部のガイド３８が鉛直方向に向いており、このガイド３８に沿ってカッター２０を摺動させるとカッター２０を移動させやすく精度良く裁断できる。このようにして裁断されたシート状部材１２は、包装等に使用される。
【００２３】
以上、本考案の一実施形態について説明したが、本考案に係るウェブ用裁断装置は上記実施形態に限定されない。例えば、裁断部２２において、図５に示すように、カッター２０の先端を入れる溝４０を設けてもよい。この溝４０に沿ってカッター２０の先端を摺動させることにより、カッター２０を移動させやすく精度良く裁断できる。
【００２４】
その他、本考案は、その主旨を逸脱しない範囲で当業者の知識に基づき種々の改良、修正、変更を加えた態様で実施できるものである。例えば、押圧手段は、手動により押圧することに限定されず、バネの付勢力によって押圧してもよい。また、裁断部に沿って摺動するカッターを備えて構成してもよい。また、裁断部全体に渡って鋸刃を設けておき、シート状部材を手で保持して鋸刃に押し付けて裁断できるように構成してもよい。
【産業上の利用可能性】
【００２５】
本考案のウェブ用裁断装置によれば、コンパクトな構成によって容易且つ精度良くシート状部材を裁断できる。このため、シート状部材の切断のために広く利用できる。
【図面の簡単な説明】
【００２６】
【図１】本考案のウェブ用裁断装置を示す側面図である。
【図２】図１のウェブ用裁断装置の正面図である。
【図３】図１のウェブ用裁断装置の平面図である。
【図４】図１のウェブ用裁断装置の使用状態を示す図であり、同図（ａ）はカッターで裁断する状態を示す一部拡大側面図であり、同図（ｂ）は押圧部材を接触面から離隔させた状態を示す一部拡大側面断面図である。
【図５】本考案のウェブ用裁断装置の他の実施形態を示す一部拡大側面断面図である。
【符号の説明】
【００２７】
１０：ウェブ用裁断装置
１２：シート状部材
１４：ウェブ
１６：載置手段
１８：固定手段
２０：カッター
２２：裁断部
２４：第１の斜面
２６：第２の斜面
２８：接触面
３０：押圧手段
３２：押圧部材
３４：レバー
【図１】
0003125079.tif 000003
【図２】
0003125079.tif 000004
【図３】
0003125079.tif 000005
【図４】
0003125079.tif 000006
【図５】
0003125079.tif 000007